(57)【要約】【課題】  容器の重心が中心からずれていても、傾けずに吊り上げ、搬送でき、着脱が容易で、脱落のおそれがなく、また容器を損傷させない缶状容器の吊り具を提供する。【解決手段】  ２つの固定アーム２，３と、１つの伸縮アーム４が、基端側で相互角度１２０°の放射状に連結部材５で結合される。各アーム２，３，４の先端付近に係止部材６，７，８が結合される。アーム２，３は、略容器Ｃの半径に対応する長さで、先端に容器Ｃの内フランジＣ１に嵌合可能な係合部９，１０を持つ。伸縮アーム４は、略容器Ｃの半径に対応する長さとなる伸長状態で固定でき、先端に内フランジＣ１に嵌合可能な係合部１１を持つ。係止部材６，７，８に吊り索Ｓを掛け止め、クレーン等で容器Ｃを吊り上げる。【選択図】  図１
2007131394.tif 000002
【特許請求の範囲】
【請求項１】
上部開口の内周縁部に内フランジを有するドラム缶状容器の搬送用吊り具であって、
略容器の半径に対応する長さを有し、先端に前記内フランジに嵌合可能な係合部を有する２つの固定アームと、
伸縮自在に構成され、略容器の半径に対応する伸長状態で固定可能であり、かつ先端に前記内フランジに嵌合可能な係合部を有する伸縮アームと、
前記固定アームおよび前記伸縮アームを放射状に相互角度１２０°に開いた状態で、その基端側を結合する連結部材と、
前記固定アームおよび前記伸縮アームの先端付近に結合される、吊り索を掛け止めるための係止部材と、を具備することを特徴とする容器の搬送用吊り具。
【請求項２】
前記吊り索を掛け止めるための係止部材が、シャックルであることを特徴とする請求項１に記載の容器の搬送用吊り具。
【請求項３】
前記伸縮アームが、互いに長手方向へ摺動自在に組み込まれたガイドボックスおよびスライダーと、伸長状態においてガイドボックスとスライダーとを固定する固定ピンとを具備し、
前記ガイドボックスが、基端において前記連結部材に結合され、前記スライダーが、基端側においてガイドボックス内に長手方向へ摺動自在に受け入れられ、かつ先端に前記係合部を有し、
前記ガイドボックスと、スライダーは、伸長状態において相互に合致し、前記固定ピンを貫通させることができるピン挿通孔を有することを特徴とする請求項１または２に記載の容器の搬送用吊り具。
【請求項４】
前記固定ピンは、前記ピン挿通孔へ挿通可能な小径部と、挿通不可能な大径部とを有し、
前記小径部は、前記大径部と一体の基部と、この基部の先端に屈折可能に枢着された屈折部とを具備し、
前記ピン挿通孔へ前記小径部を貫通させた状態で、突出した前記屈折部を折り曲げることにより抜け止め可能であることを特徴とする請求項３に記載の容器の搬送用吊り具。
【発明の詳細な説明】
【技術分野】
【０００１】
この発明は、上部開口の内周縁部に内フランジを有するドラム缶状容器の搬送用吊り具に関する。
【背景技術】
【０００２】
従来ドラム缶吊り具として、例えば特許文献１に記載されたものが知られている。このドラム缶吊り具は、ドラム缶を立てた状態でその上縁を自動的に掴み吊り上げ、或いはドラム缶を横にした状態でその両縁を自動的に掴み吊り上げるものであり、以下の構成を有する。
すなわち、掴まれるドラム缶の長さ程度に水平方向に長い補助ビームの両端側に、上下回りに正逆回転自在に掴み爪をそれぞれ取付け、吊り上げられる吊りビームを補助ビームに相対的に上下方向に僅かに平行移動自在に連結し、補助ビームに対して相対的に上昇する吊りビームの両端部で補助ビームの両端側の各掴み爪の後端を押圧して、各掴み爪にドラム缶を掴む方向に作用する回転モーメントによって握力を発生させてドラム缶を吊り上げ搬送することができるようにしたものである。
【特許文献１】実用新案登録第３０４０００７号公報
【発明の開示】
【発明が解決しようとする課題】
【０００３】
上記従来のドラム缶吊り具は、この発明を適用しようとする容器とは具体的構造が異なるため適用が困難である。また、２点吊り方式であるため、内容物が片荷状態で、重心が中心からずれている場合には、吊り上げ時にドラム缶が傾くので、内容物によっては搬送が困難である。
したがって、この発明は、上部開口の内周縁部に内フランジを有するドラム缶状容器に特に適用できる搬送用の吊り具であって、３点吊り方式であるため、内容物が片荷状態で、重心が中心からずれている場合にも、容器を傾けずに吊り上げ、搬送することができ、容器への着脱が容易であるが、吊り上げ時には脱落のおそれがなく、また容器を損傷させることのないものを提供することを課題としている。
【課題を解決するための手段】
【０００４】
この発明においては、上記課題を解決するため、２つの固定アーム２，３と、１つの伸縮アーム４と、これらアーム２，３，４の基端側を結合する連結部材５と、各アーム２，３，４の先端付近に結合される係止部材６，７，８とを具備させて容器Ｃの搬送用吊り具１を構成する。２つの固定アーム２，３は、略容器Ｃの半径に対応する長さとし、先端に容器Ｃの内フランジＣ１に嵌合可能な係合部９，１０を設ける。伸縮アーム４は、略容器Ｃの半径に対応する長さとなる伸長状態で固定可能とし、先端に内フランジＣ１に嵌合可能な係合部１１を設ける。連結部材５は、固定アーム２，３と伸縮アーム４を相互角度１２０°に放射状に開いた状態で、その基端側を結合する。係止部材６，７，８に吊り索Ｓを掛け止め、クレーン等で容器Ｃを吊り上げる。
【発明の効果】
【０００５】
この発明の吊り具は、３点吊り方式であるため、内容物が片荷状態でも、容器を傾けずに吊り上げ、安全に搬送することができ、容器への着脱が容易で、吊り上げ時には脱落のおそれがなく、クランプを用いないので、容器に損傷を与えるおそれがないという効果を有する。
【発明を実施するための最良の形態】
【０００６】
図面を参照してこの発明の実施の形態を説明する。図１は本発明の吊り具の斜視図、図２は本発明の吊り具の正面図、図３は吊り具の平面図、図４は図２におけるIV−IV断面図、図５は吊り具の装着過程を示す平面図である。
【０００７】
吊り具１は、２つの固定アーム２，３と、１つの伸縮アーム４を具備する。これらアーム２，３，４は、基端側において連結部材５によって結合される。各アーム２，３，４の先端付近には、吊り索Ｓを掛け止めるための係止部材であるシャックル６，７，８が結合される。
【０００８】
２つの固定アーム２，３は、帯板状鋼板からなり、略容器Ｃの半径に対応する長さを有し、先端には容器Ｃの内フランジＣ１に嵌合可能な係合部９，１０を有する。係合部９，１０は、内フランジＣ１を挿入できる嵌合溝９ａ，１０ａを備えたブロック状鋼材からなる。
【０００９】
伸縮アーム４は、伸縮自在で、伸長状態において固定可能であり、この状態で略容器Ｃの半径に対応する長さを有し、先端に内フランジＣ１に嵌合可能な係合部１１を有する。
【００１０】
連結部材５は、固定アーム２，３と伸縮アーム４を放射状に相互角度１２０°に開いた状態で、その基端側を結合する。
【００１１】
伸縮アーム４は、互いに長手方向へ摺動自在に組み込まれたガイドボックス１２とスライダー１３を有し、伸長状態において両者を固定する固定ピン１４を具備する。
【００１２】
ガイドボックス１２は、平行一対のガイド板１５を有し、基端において連結部材１５に結合される。２枚のガイド板１５の間に、帯板状のスライダー１３が、基端側において長手方向へ摺動自在に受け入れられる。すなわち、２枚のガイド板１５に設けられた長孔１５ａに、スライダー１３を貫通するガイドピン１６の両端部が摺動自在に受け入れられており、スライダー１３は、ガイドピン１６が長孔１５ａ内を移動できる範囲でガイドボックス１２に対して摺動可能である。スライダー１３の先端には、係合部１１が設けられる。係合部１１は、内フランジＣ１を挿入できる嵌合溝１１ａを備えたブロック状鋼材からなる。
【００１３】
ガイドボックス１２と、スライダー１３は、伸長状態において相互に合致するピン挿通孔１５ｂ，１３ａを有する。ピン挿通孔１５ａ，１３ａには、ガイドボックス１２とスライダー１３を固定するための固定ピン１４を貫通させることができる。
【００１４】
固定ピン１４は、ピン挿通孔１５ｂ，１３ａへ挿通可能な小径部１４ｂと、挿通不可能な大径部１４ａとを有し、小径部１４ｂはさらに、大径部と一体の基部１４ｃと、この基部１４ｃの先端に屈折可能にスプリングピンで枢着された屈折部１４ｄとを具備する。ピン挿通孔１５ｂ，１３ａへ固定ピン１４を貫通させた状態で、突出した屈折部１４ｄを折り曲げることにより抜け止めすることができる。
【００１５】
この吊り具１を容器Ｃに装着する場合には、図５に示すように、固定ピン１４を抜いて伸縮アーム４を縮めた状態で、吊り具１を容器Ｃ内に入れて固定アーム２，３の係合部９，１０を内フランジＣ１に嵌合させる。この状態で伸縮アーム４を伸ばし、固定ピン１４をピン挿通孔１５ｂ，１３ａへ貫通させ、屈折部１４ｄを折り曲げて抜け止めする。そして、シャックル６，７，８に吊り索Ｓを係止してクレーンで吊り上げる。容器への着脱は、固定ピン１４の抜き差しと、伸縮アーム４の伸縮により容易に行える。
【００１６】
吊り具１は、３点吊り方式であるため、内容物が固形物で、片荷状態でも、容器を傾けずに吊り上げ、安全に搬送することができる。３点が確実に内フランジＣ１に嵌合しているから、内フランジＣ１が変形しない限り脱落のおそれはない。内フランジＣ１の近傍位置で吊られるので、内フランジＣ１に曲げモーメントがかかりにくく、変形が回避される。内フランジＣ１を噛み込むようなクランプを用いないので、容器Ｃに損傷を与えるおそれがない。
【００１７】
伸縮アーム４の他の実施形態を図６に示す。この伸縮アーム４は、伸縮自在で、伸長状態において固定可能であり、この状態で略容器Ｃの半径に対応する長さを有し、先端に内フランジＣ１に嵌合可能な係合部１１と、シャックル８を有する点において先の実施形態と同等である。伸縮アーム４は、互いに長手方向へ伸縮自在に組み込まれたガイドボックス１７とねじ棒１８を有し、伸長状態において両者を固定するロックナット１９を具備する。ガイドボックス１７は、平行一対のガイド板２０と、端板２１を有し、支持板２２を介して基端において連結部材５に結合される。端板２１のガイド孔２１ａを自由に貫通したねじ棒１８の基端側が２枚のガイド板２０の間に受け入れられストッパ１８ａで抜け止めされる。ねじ棒１８の先端に、係合部１１が設けられる。係合部１１は、内フランジＣ１を挿入できる嵌合溝１１ａを備えたブロック状鋼材からなる。ガイドボックス２０とねじ棒１８は、伸長状態においてロックナット１９で相互に固定される。
【００１８】
吊り具１を容器Ｃに装着する場合には、ロックナット１９をねじ棒１８の先端側へ移動させて伸縮アーム４を縮めた状態で、吊り具１を容器Ｃ内に入れて固定アーム２，３の係合部９，１０を内フランジＣ１に嵌合させる。この状態でロックナット１９をねじ棒１８の基端側へ移動させて伸縮アーム４を伸ばし、端板２１との間で固定する。そして、シャックル６，７，８に吊り索Ｓを係止してクレーンで吊り上げる。
【産業上の利用可能性】
【００１９】
この発明は、例えば、原子力関連のドラム缶状廃棄物容器等に装着して使用する吊り具として利用される。
【図面の簡単な説明】
【００２０】
【図１】本発明の吊り具の斜視図である。
【図２】本発明の吊り具の正面図である。
【図３】本発明の吊り具の平面図である。
【図４】図２におけるIV−IV断面図である。
【図５】吊り具の装着過程を示す平面図である。
【図６】他の実施形態の伸縮アームを示すもので、（ａ）は正面図、（ｂ）は平面図である。
【符号の説明】
【００２１】
１      吊り具
２      固定アーム
３      固定アーム
４      伸縮アーム
５      連結部材
６      係止部材
７      係止部材
８      係止部材
９      係合部
９ａ    嵌合溝
１０    係合部
１０ａ  嵌合溝
１１    係合部
１１ａ  嵌合溝
１２    ガイドボックス
１３    スライダー
１３ａ  ピン挿通孔
１４    固定ピン
１４ａ  大径部
１４ｂ  小径部
１４ｃ  基部
１４ｄ  屈折部
１５    ガイド板
１５ａ  長孔
１５ｂ  ピン挿通孔
１６    ガイドピン
Ｃ      容器
Ｃ１    内フランジ
Ｓ      吊り索
【図１】
2007131394.tif 000003
【図２】
2007131394.tif 000004
【図３】
2007131394.tif 000005
【図４】
2007131394.tif 000006
【図５】
2007131394.tif 000007
【図６】
2007131394.tif 000008